(57)【要約】【課題】香り発生装置の香りの強度を選択して設定することができる画像形成装置を提供する。【解決手段】揮散性薬剤を内部に収容し画像形成装置本体に配置される香り発生手段と、操作者の指示を受け付け、指示の内容を表示する操作表示手段と、揮散性薬剤の放出強度を設定する強度設定手段と、を備え、揮散性薬剤の放出強度は、操作表示手段を介して操作者の指示を受け付けて、画像形成装置の動作に応じて動作ごとに予め定められた値に設定される。【選択図】図５
2016180830.tif 000002
【特許請求の範囲】
【請求項１】
揮散性薬剤を内部に収容し画像形成装置本体に配置される香り発生手段と、
操作者の指示を受け付け、前記指示の内容を表示する操作表示手段と、を備え、
前記揮散性薬剤の放出強度あるいは前記揮散性薬剤の種類を設定する、
ことを特徴とする画像形成装置。
【請求項２】
前記揮散性薬剤の放出強度は、前記操作表示手段を介して操作者の指示を受け付けて、画像形成装置の動作に応じて前記動作ごとに予め定められた値に設定される、
ことを特徴とする請求項１に記載の画像形成装置。
【請求項３】
前記揮散性薬剤の放出強度は、前記操作表示手段を介して操作者の指示を受け付けて、画像形成装置が要求するフェイル処理に応じて前記フェイル処理ごとに予め定められた値に設定される、
ことを特徴とする請求項１に記載の画像形成装置。
【請求項４】
操作者の認証を行う認証手段を更に備え、
前記認証手段で前記操作者の認証がなされた場合、前記操作表示手段が前記操作者の指示を受け付けて、前記揮散性薬剤の放出強度を前記認証手段で認証された識別情報と関連付けて予め定められた値に設定される、
ことを特徴とする請求項１ないし３のいずれか１項に記載の画像形成装置。
【請求項５】
前記認証手段が、予め設定された領域内で移動体を検知可能な移動体検知手段である、
ことを特徴とする請求項４に記載の画像形成装置。
【請求項６】
前記揮散性薬剤の放出強度は、複数種類の揮散性薬剤から１種類又は２種類以上が選ばれた前記揮散性薬剤ごとに予め定められた値に設定される、
ことを特徴とする請求項４又は５に記載の画像形成装置。
【請求項７】
前記揮散性薬剤の放出強度は、画像形勢装置が設置される予め設定された設置場所あるいは設置環境に応じて、複数種類の揮散性薬剤から１種類又は２種類以上が選ばれた前記揮散性薬剤情報と前記揮散性薬剤の放出強度情報とを一組の揮散性薬剤の放出情報として記憶するとともに、予め設定された複数の設置場所あるいは設置環境に応じて前記揮散性薬剤情報を一括して読み出して設定される、
ことを特徴とする請求項１ないし５のいずれか１項に記載の画像形成装置。
【請求項８】
前記設置場所は、前記操作表示手段を介して操作者の指示を受け付けて選択される、
ことを特徴とする請求項７に記載の画像形成装置。
【請求項９】
前記画像形成装置の設置場所の位置情報を取得する位置情報取得手段を更に備え、
前記設置場所は、前記位置情報取得手段が取得する、ＧＰＳ（Ｇｌｏｂａｌ Ｐｏｓｉｔｉｏｎｉｎｇ Ｓｙｓｔｅｍ）による緯度情報および経度情報、ＭＡＣアドレス（Ｍｅｄｉａ Ａｃｃｅｓｓ Ｃｏｎｔｒｏｌ ａｄｄｒｅｓｓ）または電話番号に基づいて選択される、
ことを特徴とする請求項７に記載の画像形成装置。
【請求項１０】
前記揮散性薬剤の放出強度あるいは前記揮散性薬剤の種類は、電気通信回線を通じて取得した情報に応じて設定される、
ことを特徴とする請求項１ないし５のいずれか１項に記載の画像形成装置。
【発明の詳細な説明】
【技術分野】
【０００１】
本発明は、画像形成装置に関する。
【背景技術】
【０００２】
複数種類の画像を表示する表示部と、複数種類の香料を放出する香料放出部と、香料の香りを消す消香材を放出する消香材放出部と、香料を送風する第１送風部と、消香材を送風する第２送風部と、制御部とを備え、制御部は、所定の種類の画像に従い、所定の種類の香料を放出させ送風させた後に、消香材を放出させ送風させる香発生装置が知られている（特許文献１）。
【０００３】
テレビジョン受信機と、テレビジョン受信機のテレビ画面外の前面側に設置され、テレビ画面の前方に向かって芳香剤を放出する香り発生装置と、テレビジョン受信機に信号を送信するテレビ用リモコン装置と、テレビジョン受信機本体に設けられ、テレビ用リモコン装置から送信された信号に従って、テレビ画面において、香り発生装置から放出される芳香剤の香り発生パラメータを設定すると共に、香り発生パラメータに従って香り発生装置から芳香剤を放出させる香り発生制御装置と、を備えている香り発生装置付きテレビジョン受信機も知られている（特許文献２）。
【先行技術文献】
【特許文献】
【０００４】
【特許文献１】特開２０００−２６７６１１号公報
【特許文献２】特開２０１０−１３０４７１号公報
【発明の概要】
【発明が解決しようとする課題】
【０００５】
装置本体内に設置されている香り発生装置の香りの種類あるいは強度を制御できない場合、装置の使用者の不快感につながる虞があった。
本発明は、香り発生装置の香りの種類あるいは強度を選択して設定することができる画像形成装置を提供することを目的とする。
【課題を解決するための手段】
【０００６】
前記課題を解決するために、請求項１に記載の画像形成装置は、
揮散性薬剤を内部に収容し画像形成装置本体に配置される香り発生手段と、
操作者の指示を受け付け、前記指示の内容を表示する操作表示手段と、を備え、
前記揮散性薬剤の放出強度あるいは前記揮散性薬剤の種類を設定する、
ことを特徴とする。
【０００７】
請求項２に記載の発明は、請求項１に記載の画像形成装置において、
前記揮散性薬剤の放出強度は、前記操作表示手段を介して操作者の指示を受け付けて、画像形成装置の動作に応じて前記動作ごとに予め定められた値に設定される、
ことを特徴とする。
【０００８】
請求項３記載の発明は、請求項１に記載の画像形成装置において、
前記揮散性薬剤の放出強度は、前記操作表示手段を介して操作者の指示を受け付けて、画像形成装置が要求するフェイル処理に応じて前記フェイル処理ごとに予め定められた値に設定される、
ことを特徴とする。
【０００９】
請求項４記載の発明は、請求項１ないし３のいずれか１項に記載の画像形成装置において、
操作者の認証を行う認証手段を更に備え、
前記認証手段で前記操作者の認証がなされた場合、前記操作表示手段が前記操作者の指示を受け付けて、前記揮散性薬剤の放出強度を前記認証手段で認証された識別情報と関連付けて予め定められた値に設定される、
ことを特徴とする。
【００１０】
請求項５記載の発明は、請求項４に記載の画像形成装置において、
前記認証手段が、予め設定された領域内で移動体を検知可能な移動体検知手段である、
ことを特徴とする。
【００１１】
請求項６に記載の発明は、請求項４又は５に記載の画像形成装置において、
前記揮散性薬剤の放出強度は、複数種類の揮散性薬剤から１種類又は２種類以上が選ばれた前記揮散性薬剤ごとに予め定められた値に設定される、
ことを特徴とする。
【００１２】
請求項７に記載の発明は、請求項１ないし５のいずれか１項に記載の画像形成装置において、
前記揮散性薬剤の放出強度は、画像形勢装置が設置される予め設定された設置場所あるいは設置環境に応じて、複数種類の揮散性薬剤から１種類又は２種類以上が選ばれた前記揮散性薬剤情報と前記揮散性薬剤の放出強度情報とを一組の揮散性薬剤の放出情報として記憶するとともに、予め設定された複数の設置場所あるいは設置環境に応じて前記揮散性薬剤情報を一括して読み出して設定される、
ことを特徴とする。
【００１３】
請求項８記載の発明は、請求項７に記載の画像形成装置において、
前記設置場所は、前記操作表示手段を介して操作者の指示を受け付けて選択される、
ことを特徴とする。
【００１４】
請求項９記載の発明は、請求項７に記載の画像形成装置において、
前記画像形成装置の設置場所の位置情報を取得する位置情報取得手段を更に備え、
前記設置場所は、前記位置情報取得手段が取得する、ＧＰＳ（Ｇｌｏｂａｌ Ｐｏｓｉｔｉｏｎｉｎｇ Ｓｙｓｔｅｍ）による緯度情報および経度情報、ＭＡＣアドレス（Ｍｅｄｉａ Ａｃｃｅｓｓ Ｃｏｎｔｒｏｌ ａｄｄｒｅｓｓ）または電話番号に基づいて選択される、
ことを特徴とする。
【００１５】
請求項１０記載の発明は、請求項１ないし５のいずれか１項に記載の画像形成装置において、
前記揮散性薬剤の放出強度あるいは前記揮散性薬剤の種類は、電気通信回線を通じて取得した情報に応じて設定される、
ことを特徴とする。
【発明の効果】
【００１６】
請求項１に記載の発明によれば、香り発生装置の香りの強度を選択して設定することができる。
請求項２に記載の発明によれば、使用者が画像形成装置の動作に応じて動作ごとに香り発生装置の香りの強度を選択して設定することができる。
請求項３に記載の発明によれば、使用者が画像形成装置が要求するフェイル処理に応じてフェイル処理ごとに香り発生装置の香りの強度を選択して設定することができる。
請求項４ないし６に記載の発明によれば、予め登録された使用者ごとに香り発生装置の香りの種類と強度を選択して設定することができる。
請求項７ないし１０に記載の発明によれば、画像形成装置の設置場所に応じて香り発生装置の香りの種類と強度を一括して設定することができる。
【図面の簡単な説明】
【００１７】
【図１】（ａ）は画像形成装置１の外観全体を示す正面概略構成図、（ｂ）は平面部分断面図、（ｃ）は左側面部分断面図、（ｄ）は香り発生装置８０が設置された画像形成装置１の背面斜視図である。
【図２】画像形成装置１の内部構成を示す縦断面模式図である。
【図３】香り発生装置８０を含む制御装置１０のハードウェア構成を示すブロック図である。
【図４】（ａ）は香り発生装置８０の１つの構成を示す斜視図、（ｂ）は縦断面図、（ｃ）は香り発生装置８０の開閉機構の構成を示す断面模式図である。
【図５】（ａ）は操作表示手段としての操作情報部９０の表示部を示す模式図、（ｂ）は表示部における芳香剤の放出強度の設定の一例を示す模式図、（ｃ）は表示部における芳香剤の放出強度のアイコン表示の一例を示す模式図である。
【図６】人検知装置１００を含む画像形成装置１Ａの機能構成を示すブロック図である。
【図７】画像形成装置１Ａにおける人検知装置１００の人検知範囲を示す模式図である。
【図８】使用者ごとの芳香剤の放出強度の設定の一例を示す模式図である。
【図９】一括した芳香剤情報として記憶されるデータの一例を示す概略図である。
【図１０】画像形成装置１Ｂの機能構成を示すブロック図である。
【図１１】画像形成装置１Ｃの機能構成を示すブロック図である。
【発明を実施するための形態】
【００１８】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１９】
（１）画像形成装置の全体構成及び動作
図１（ａ）は画像形成装置１の外観全体を示す正面概略構成図、（ｂ）は平面部分断面図、（ｃ）は左側面部分断面図、（ｄ）は香り発生装置８０が設置された画像形成装置１の背面斜視図、図２は画像形成装置１の内部構成を示す縦断面模式図、図３は香り発生装置８０を含む制御装置１０のハードウェア構成を示すブロック図、図４（ａ）は香り発生装置８０の１つの構成を示す斜視図、（ｂ）は縦断面図、（ｃ）は香り発生装置８０の開閉機構の構成を示す断面模式図である。
以下、図面を参照しながら、画像形成装置１の全体構成及び動作を説明する。
【００２０】
（１．１）全体構成
画像形成装置１は、電子写真方式によって画像を形成する画像形成部２と、原稿等の読み取りを行う読取部３が読取装置支持部４によって画像形成部２の上方に支持されて構成されている。
【００２１】
図２に示すように、画像形成部２は、筐体Ｆ（不図示）内に、制御装置１０、給紙装置２０、感光体ユニット３０、現像ユニット４０、転写ユニット５０、定着ユニット６０、排気装置７０（図１（ｃ）、（ｄ）に図示）が配置され、筐体Ｆ（不図示）は分割された複数の外装カバー５で覆われて構成されている。
【００２２】
画像形成部２の底部には、多数の記録媒体としての用紙Ｐが積載された給紙装置２０が設けられている。給紙装置２０の上方には、感光体ユニット３０、現像ユニット４０が配置され、それぞれの感光体ドラム３１上にはそれぞれの現像ユニット４０によってイエロー（Ｙ）、マゼンタ（Ｍ）、シアン（Ｃ）、黒（Ｋ）のトナー像が形成される。
【００２３】
トナー像は、転写ユニット５０の中間転写ベルト５１上に順次静電転写（一次転写）され、各色トナーが重畳された重畳トナー像が形成される。中間転写ベルト５１上の重畳トナー像は、給紙装置２０から送り出された用紙Ｐに一括転写（二次転写）される。
【００２４】
転写ユニット５０においてトナー像が一括転写された用紙Ｐは、定着ユニット６０に搬送され、一対の加熱モジュール６１と加圧モジュール６２により、圧着と加熱の作用でトナー像が定着される。
定着トナー像が形成された用紙Ｐは、搬送ガイドによってガイドされ、排出ローラ対６９から画像形成部２の上面に形成された排出トレイ部Ｔに排出・収容される。
【００２５】
発熱を伴う定着ユニット６０や電源装置等から離れた前面底部には、画像形成装置１周辺における揮散性薬剤の残留濃度を検出する香りセンサＳＮ１が備えられている。
香りセンサＳＮ１としては、金属酸化物半導体センサ、有機導電性ポリマーセンサ、静電容量型センサ等が挙げられ、本実施形態においては金属酸化物半導体センサが用いられている。
制御装置１０は、香りセンサＳＮ１の出力に基づき、画像形成装置１周辺における揮散性薬剤の残留濃度を検出し、香り発生装置８０から放出される香り強度を制御する。
【００２６】
図１（ｃ）、（ｄ）に示すように、画像形成装置１の背面側の筐体（不図示）内には排気装置７０が設けられている。
排気装置７０は、筐体（不図示）内で画像形成装置１の背面側に向かって形成された通気ダクト７１を有し、排気ファン７２を回転駆動して外装カバー５に形成された開口部５ａから画像形成装置１内の熱せられた空気を機外へ排出する。
【００２７】
外装カバー５の開口部５ａには香り発生装置８０が設置されている。開口部５ａには、開口部５ａを覆い排気ファン７２により排出される空気を通過させる通気孔６ａを有する着脱可能な外装部材６が取り付けられている（図１（ｄ）参照）。
【００２８】
画像形成装置１は、動作状態において排気ファン７２が回転すると、画像形成装置１内部の空気が吸入され、開口部５ａから外装部材６の通気孔６ａを介して装置外部へ排気する。排気ファン７２によって通気孔６ａから排気される空気流は、香り発生装置８０の上方を流通し、香り発生装置８０の内部から揮散した香り成分が空気流の流通方向に拡散する。
【００２９】
図３に示すように、制御装置１０は、香りセンサＳＮ１からの検知信号を取得する情報取得部１０１、情報取得部１０１により取得されたそれぞれの値に応じて、排気ファン７２の駆動を制御するファン駆動部１０２、香り発生装置８０の開閉を制御する開閉制御部１０３、操作情報部９０の操作受け付け及び情報の表示を制御するＵＩ制御部１０４、通信回線を介して外部機器との通信を制御する送信制御１０５、を備えて構成されている。
【００３０】
読取装置支持部４には、外装カバー５の内面側に移動体検知手段としての人感センサ１１０と、人検知カメラ１２０が装着されている。人感センサ１１０及び人検知カメラ１２０は、移動体の一例としての人を検知し、人感センサ１１０で検知された検知信号、人検知カメラ１２０で撮像された画像データを制御装置１０へ送信する送信部１３０を含めて人検知装置１００を構成している。
【００３１】
読取部３の前面側には、ユーザーインターフェイスとしての操作情報部９０が配置されている。操作情報部９０は、液晶表示パネル、各種操作ボタン、タッチパネル等を組み合わせて構成され、画像形成装置１の使用者は、操作情報部９０を介して各種の設定や指示の入力を行う。また、液晶表示パネルを介して画像形成装置１の使用者へ各種情報を表示する。
【００３２】
操作情報部９０の側方側には、使用者の認証を行う認証手段としての認証部７が配置されている。認証部７は、例えば、使用者がかざしたＩＣカードの識別情報を受け付けて、予め登録された使用者情報が保管されている外部認証サーバへ受け付けた識別情報を送信し、外部認証サーバから送信されてくる使用者情報を受信することで使用者の認証を行う。
【００３３】
（１．２）香り発生装置
図４に示すように、香り発生装置８０は、収容部が複数に分割されて複数種類の揮散性薬剤Ｓが収容された香り発生装置８０として密閉されている。
【００３４】
蓋体８２の上面には、開閉機構８５が設けられている。開閉機構８５は、図４に示すように、開口部を塞ぐ閉鎖位置（図４（ｂ）参照）と互いに離間して開口部を開放する開放位置（図４（ｃ）参照）とを切り替えるようになっている。
【００３５】
開閉機構８５は、開放位置では、図４（ｃ）に示すようにそれぞれのフラップ８６が形成する通気路８７が断面視一定方向に傾斜して停止するように回転が規制されている。その結果、香り発生装置８０が設置された状態で蓋体８２の上方を排気ファン７２によって排気される空気流が流通した場合には、通気路８７を介して容器本体８１の内部から揮散した香り成分が空気流の流通方向に拡散する。
【００３６】
揮散性薬剤Ｓは、揮散性物質としての芳香剤を保持し、容器本体８１内に充填されて保持されたゲル成形体である。ゲル成形体に保持される揮散性物質は、ゲル成形体から揮散により蓋体８２の通気路８７を介して外部に放出される物質であり、揮散性の芳香剤、消香剤などが挙げられる。
本実施形態においては、種類の異なる芳香剤を保持した複数のゲル成形体Ｓａ、Ｓｂ、Ｓｃが容器本体８１内に分離して収容されている。
【００３７】
ゲル成形体は、揮散性物質を溶解して保持するゲルから形成され、ゲル成分としては、ゼラチン、オイルゲル、吸水ポリマー、多官能の酸とポリオールの重縮合ゲル等の公知のゲルが用いられるが、開口部側が上下いずれの方向でも使用できるように、形状保持性を有するように形成される。
【００３８】
（２）芳香剤の強度設定
図５（ａ）は操作表示手段としての操作情報部９０の表示部を示す模式図、（ｂ）は表示部における芳香剤の放出強度の設定の一例を示す模式図、（ｃ）は表示部における芳香剤の放出強度のアイコン表示の一例を示す模式図である。
【００３９】
図５（ａ）に示すように、操作情報部９０の表示部には、画像形成装置１の使用者が、操作情報部９０を介して各種の設定や指示の入力を行うためのアイコン等が表示され、例えば、動作モードを示す「コピー」、「スキャン」、「プリント」、「ファクス」等の各種アイコンが表示されている。また、動作モードの他に、使用者が行う操作を受け付ける「設定／登録」、「階調補正」等のアイコンも表示されている。
【００４０】
使用者は、各動作モードを選択して、図５（ｂ）に模式的に示すように、それぞれの動作モードに応じて、芳香剤の放出強度として、香り強度を、例えば、「なし」、「弱」、「中」、「強」等に設定することができる。
各動作モードに応じて設定された香り強度は、それぞれの動作モードのアイコンを選択して表示部に表示させることができる。また、図５（ａ）に示す空き領域Ｒに表示してもよい。
【００４１】
画像形成装置１は、フェイルが検知された場合には、その旨を表示し、フェイル処理を要求する。フェイル処理としては、感光体ユニット３０、現像ユニット４０、転写ユニット５０、定着ユニット６０の寿命に伴うそれぞれのユニットの交換処理、用紙詰まり時の用紙除去処理、給紙装置２０におけるトレイ上昇不良等が挙げられる。
使用者は、予め各フェイル処理を選択して、図５（ｂ）に模式的に示すように、それぞれのフェイル処理に応じて、芳香剤の放出強度として、香り強度を、例えば、「なし」、「弱」、「中」、「強」等に設定することができる。
【００４２】
香り強度の表示態様は、図５（ｃ）に例示するように、横型の棒状で表示して、「なし」、「弱」、「中」、「強」等や、全体を１００％とした強度目安を併記して表示してもよく、予め備えられた表示態様から、使用者が選択して表示させることができる。
【００４３】
制御装置１０は、各動作モード及びフェイル処理に応じて設定された香り強度に基づいて、排気ファン７２の駆動を制御するとともに、香り発生装置８０の開閉機構８５を制御して画像形成装置１の周辺に香りを放出する。
放出された芳香剤の強度情報は、香りセンサＳＮ１の検知した値に従って算出され、算出された香り強度情報に基づいて、排気ファン７２の駆動及び香り発生装置８０の開閉機構８５の開閉が制御される。
【００４４】
「第２実施形態」
図６は人検知装置１００を含む画像形成装置１Ａの機能構成を示すブロック図、図７は画像形成装置１Ａにおける人検知装置１００の人検知範囲を示す模式図、図８は使用者ごとの芳香剤の放出強度の設定の一例を示す模式図である。
以下、本実施形態の画像形成装置１Ａにおける芳香剤の強度設定について図を用いて説明するが、第１実施形態に係る画像形成装置１と共通の構成要素には、同一の符号を付し、その詳細な説明は省略する。
【００４５】
制御装置１０Ａは、認証部７が、操作者がかざしたＩＣカードの識別情報を受け付けると、予め登録された使用者情報が保管されている外部認証サーバ（不図示）へ受け付けた識別情報を送信し、外部認証サーバから送信されてくる使用者情報を受信することで使用者の認証を行う。
【００４６】
認証部７が受け付けた識別情報が予め登録された使用者情報のひとつと一致する場合、操作情報部９０が操作者の指示を受け付ける.
認証された使用者は、例えば、各動作モードを選択して、図８に模式的に示すように、それぞれの動作モード及びそれぞれのフェイル処理に応じて、芳香剤の種類と、それぞれの芳香剤の放出強度として、芳香剤の種類を例えば、「なし」、「レモン」、「ハーブ」、「ヒノキ」、香り強度を例えば、「弱」、「中」、「強」等に設定することができる。
【００４７】
使用者の認証は、人検知装置１００が備える人検知カメラ１２０が操作者の顔を含む画像を撮影し、撮影された静止画像又は動画像を予め登録された使用者の顔を含む画像と比較して操作者の顔認証を行ってもよい。
具体的には、人感センサ１１０が予め定められた領域（図７に示す検知範囲Ａ１）内に人が入ってきたことを検知すると、制御装置１０Ａが、人感センサ１１０の検知信号に基づいて、人検知カメラ１２０をＯＮにして、人検知カメラ１２０の撮像領域（図７に示す撮像範囲Ａ２）において撮影された画像データを取得する。
【００４８】
そして、得られた画像データと予め登録されている使用者の顔を含む画像とを比較して操作者の認証が行われる。
認証された使用者は、各動作モードを選択して、図８に模式的に示すように、それぞれの動作モード及びそれぞれのフェイル処理に応じて、芳香剤の種類と、それぞれの芳香剤の放出強度を使用者と関連付けて設定することができる。
【００４９】
「第３実施形態」
図９は一括した芳香剤情報として記憶されるデータの一例を示す概略図、図１０は画像形成装置１Ｂの機能構成を示すブロック図である。
以下、本実施形態の画像形成装置１Ｂにおける芳香剤の強度設定について図を用いて説明するが、第１実施形態に係る画像形成装置１と共通の構成要素には、同一の符号を付し、その詳細な説明は省略する。
【００５０】
図９に一例として示すように、画像形成装置１Ｂが設置される設置場所の使用環境に応じて、画像形成装置１Ｂから放出される香りの要求は異なることが知られている。
例えば、操作時の臭気の抑制、大量印刷時の臭気の除去に対する要求が強い設置環境Ａ、来訪者への香りの提供が主である設置環境Ｂ、印刷待ち時のリフレッシュ、快適な労働環境のための適度な香りの提供、集中力を高める香りの提供が主である設置環境Ｃなどが挙げられる。
【００５１】
これらの情報は、それぞれの設置環境に応じて、予め複数種類の芳香剤から１種類又は２種類以上が選ばれた芳香剤情報と、芳香剤の放出強度情報と、を一組の芳香剤放出情報として制御装置１０Ｂの不揮発メモリ（ＮＶＭ）に記憶されている。
画像形成装置１Ｂは、不揮発メモリ（ＮＶＭ）に記憶されている一組の芳香剤情報を一括して読み出す芳香剤情報読出し部１０９を備えている。
【００５２】
画像形成装置１Ｂの使用者又は管理者は、操作情報部９０を介して、これら予め記憶された一組の芳香剤情報を一括して読み出して、それぞれの設置場所（環境）に応じて芳香剤の種類と、その放出強度を設定することができる。
【００５３】
画像形成装置１Ｂは、画像形成装置１Ｂの設置場所の位置情報を取得する位置情報取得部１０８を備えている。
位置情報の取得方法は特には限定されないが、例えば、ＧＰＳ（Ｇｌｏｂａｌ Ｐｏｓｉｔｉｏｎｉｎｇ Ｓｙｓｔｅｍ）による情報、ＭＡＣアドレス（Ｍｅｄｉａ Ａｃｃｅｓｓ Ｃｏｎｔｒｏｌ ａｄｄｒｅｓｓ）または電話番号等に基づいて、取得するようにできる。
【００５４】
制御装置１０Ｂは、位置情報取得部１０８を介して取得された位置情報に基づいて、芳香剤情報読出し部１０９を介して一組の芳香剤情報を読み出して、それぞれの設置場所（環境）に応じて芳香剤の種類と、その放出強度を設定することができる。
【００５５】
「第４実施形態」
図１１は画像形成装置１Ｃの機能構成を示すブロック図である。
以下、本実施形態の画像形成装置１Ｃにおける芳香剤の強度設定について図を用いて説明するが、第１実施形態に係る画像形成装置１と共通の構成要素には、同一の符号を付し、その詳細な説明は省略する。
【００５６】
画像形成装置１Ｃは、電気通信回線（インターネット等）を介して通信制御部１０５でダウンロードされた芳香剤放出情報を芳香剤情報取得部１０８ａで取得し、芳香剤の種類と、その放出強度を設定する。
【００５７】
芳香剤放出情報は、それぞれの動作モード及びそれぞれのフェイル処理に応じて設定される芳香剤の種類と、それぞれの芳香剤の放出強度がダウンロードされて設定されてもよく、設置場所（環境）情報がダウンロードされ、設置場所（環境）情報に応じて、芳香剤情報読出し部１０９が一括して読み出した一組の芳香剤情報に設定されてもよい。
【符号の説明】
【００５８】
１、１Ａ、１Ｂ、１Ｃ・・・画像形成装置
２・・・画像形成部
３・・・読取部
４・・・読取装置支持部
５・・・外装カバー
５ａ、５ｂ・・・ルーバ部
６・・・外装部材
７・・・認証部
１０、１０Ａ、１０Ｂ、１０Ｃ・・・制御装置
２０・・・給紙装置
３０・・・感光体ユニット
４０・・・現像ユニット
５０・・・転写ユニット
６０・・・定着ユニット
７０・・・排気装置
７１・・・通気ダクト
７２・・・排気ファン
８０・・・香り発生装置
９０・・・操作情報部
１００・・・人検知装置
１１０・・・人感センサ
１２０・・・人検知カメラ
【図１】
2016180830.tif 000003
【図２】
2016180830.tif 000004
【図３】
2016180830.tif 000005
【図４】
2016180830.tif 000006
【図５】
2016180830.tif 000007
【図６】
2016180830.tif 000008
【図７】
2016180830.tif 000009
【図８】
2016180830.tif 000010
【図９】
2016180830.tif 000011
【図１０】
2016180830.tif 000012
【図１１】
2016180830.tif 000013